(57)【要約】【課題】  建物外壁や玄関ポーチ等に別屋根を容易に増設可能にした建物外壁接合屋根構造を提供する。【解決手段】  複数の支柱３に跨って支持され且つ建物の外壁に隣設して配置された方形枠状の屋根フレーム４と、外壁に接合するように屋根フレーム４上に取り付けられた屋根板とを備える屋根パネル１が設けられ、支柱３の上端部に設けられたフレーム支持部１４には屋根パネル１を取り付ける第１取付部１７ａと増設屋根パネル１ｂ，１ｄを取り付ける複数の第２取付部１７ｂ，１７ｃが形成されている。【選択図】              図２ 
2006002361.tif 000002
【特許請求の範囲】
【請求項１】
複数の支柱に跨って支持され且つ建物の外壁に隣設して配置された方形枠状の屋根フレ
ームと、前記外壁に接合するように前記屋根フレーム上に取り付けられた屋根板とを備え
る屋根パネルが設けられた建物外壁接合屋根構造であって、
前記支柱の上端部に設けられたフレーム支持部には前記屋根パネルを取り付ける第１取
付部と増設屋根パネルを取り付ける複数の第２取付部が形成されていることを特徴とする
建物外壁接合屋根構造。
【請求項２】
前記屋根フレームの妻梁に前記増設屋根パネルの一側部が前記第２取付部を介して取り
付けられていることを特徴とする請求項１に記載の建物外壁接合屋根構造。
【請求項３】
前記屋根フレームの桁梁に前記増設屋根パネルの一側部が前記第２取付部を介して取り
付けられていることを特徴とする請求項１に記載の建物外壁接合屋根構造。
【請求項４】
前記屋根パネルの妻梁及び桁梁に前記増設屋根パネルが前記第２取付部を介してそれぞ
れ取り付けられていることを特徴とする請求項１に記載の建物外壁接合屋根構造。
【発明の詳細な説明】
【技術分野】
【０００１】
本発明は、建物外壁に設けられる玄関ポーチ及びカーポート等の屋外空間の屋根を増設
可能に構成する建物外壁接合屋根構造に関するものである。
【背景技術】
【０００２】
従来、この種の屋根構造としては、例えば、前桁と垂木掛けとに垂木の各端部をそれぞ
れ固定して方形枠状の屋根フレームを形成し、屋根板を取り付け、この屋根フレームの側
部に側枠を固定すると共に前桁及び垂木掛けの端部にコーナーキャップをそれぞれ固定し
屋根板を取り付けて一単位の屋根を構成したものが知られている。
【０００３】
そして、この屋根に別屋根を増設させるときには、屋根フレームから側枠及びコーナー
キャップをそれぞれ取り外して、前桁及び垂木掛けに増設屋根の前桁及び垂木掛けをそれ
ぞれ接続固定することにより既設の屋根の側部に別屋根を増設させている（例えば、特許
文献１参照）。
【特許文献１】特開平６−１０４３７号公報
【発明の開示】
【発明が解決しようとする課題】
【０００４】
しかしながら、上述した既存の屋根に別屋根を増設させる構造では、増設する屋根のサ
イズは、既存の屋根の奥行きに合わせるためにサイズの自由度が少ないという問題があっ
た。
【０００５】
また、既存の屋根に対して別屋根を増設させる方向が既存の屋根の側部の方向には可能
であるが、既存の屋根の前桁側又は垂木掛け側には不可能であるため別屋根の増設性が悪
いという問題があった。
【０００６】
本発明は、建物外壁や玄関ポーチ等に別屋根を容易に増設可能にした建物外壁接合屋根
構造を提供することを目的とするものである。
【課題を解決するための手段】
【０００７】
本発明は、上述事情に鑑みなされたものであって、請求項１に記載の発明は、複数の支
柱に跨って支持され且つ建物の外壁に隣設して配置された方形枠状の屋根フレームと、前
記外壁に接合するように前記屋根フレーム上に取り付けられた屋根板とを備える屋根パネ
ルが設けられた建物外壁接合屋根構造であって、前記支柱の上端部に設けられたフレーム
支持部には前記屋根パネルを取り付ける第１取付部と増設屋根パネルを取り付ける複数の
第２取付部が形成されていることを特徴としている。
【０００８】
また、請求項２に記載の発明は、請求項１に記載の建物外壁接合屋根構造において、前
記屋根フレームの妻梁に前記増設屋根パネルの一側部が前記第２取付部を介して取り付け
られていることを特徴としている。
【０００９】
また、請求項３に記載の発明は、請求項１に記載の建物外壁接合屋根構造において、前
記屋根フレームの桁梁に前記増設屋根パネルの一側部が前記第２取付部を介して取り付け
られていることを特徴としている。
【００１０】
また、請求項４に記載の発明は、請求項１に記載の建物外壁接合屋根構造において、前
記屋根パネルの妻梁及び桁梁に前記増設屋根パネルが前記第２取付部を介してそれぞれ取
り付けられていることを特徴としている。
【発明の効果】
【００１１】
請求項１に係わる発明によれば、支柱の上端部に設けられたフレーム支持部には前記屋
根パネルを取り付ける第１取付部と増設屋根パネルを取り付ける複数の第２取付部が形成
されているので、サイズの異なる複数種類の屋根パネルを組み合わせて増設させることに
より、フレキシブルなサイズの屋根のある屋外空間を構成することができる。
【００１２】
また、玄関ポーチ及びカーポート等を上記の屋根と同様の構造、構成とすることにより
、玄関ポーチに対してカーポートを一つ以上追加して増設することができる。
【００１３】
また、請求項２に係わる発明によれば、屋根フレームの妻梁に前記増設屋根パネルの一
側部が前記第２取付部を介して取り付けられているので、既設の屋根パネルの側部にサイ
ズの異なる複数の屋根パネルを増設することができる。
【００１４】
また、請求項３に係わる発明によれば、屋根フレームの桁梁に増設屋根パネルの一側部
が第２取付部を介して取り付けられているので、既設の屋根パネルの前後部にサイズの異
なる複数の屋根パネルを増設することができる。
【００１５】
また、請求項４に係わる発明によれば、前記屋根パネルの妻梁及び桁梁に前記増設屋根
パネルが前記第２取付部を介してそれぞれ取り付けられているので、既設の屋根パネルの
側部及び前後部にサイズの異なる複数の屋根パネルを増設するなどして連続性のある外観
デザインとすることができる。
【発明を実施するための最良の形態】
【００１６】
以下、本発明の実施例１を図１〜図６に基づいて説明する。
【実施例１】
【００１７】
図１は、屋根パネル１及びこの屋根パネル１の出隅部２を支持する複数の支柱３の斜視
図を示している。図２（ａ）は図１のＥ部における拡大斜視図を示している（但し屋根パ
ネル１は屋根フレームのみを示している）。この屋根パネル１の屋根フレーム４は、図３
に示すように前後の桁梁５と左右の妻梁６とにより方形枠状に形成されている。
【００１８】
前記屋根フレーム４の桁梁５及び妻梁６は、図２（ｂ）に示したように開口部が内側を
向いているチャンネル状の部材からなっている。この桁梁５及び妻梁６の各端部をＬ字状
の接合部材７にそれぞれ固定させることにより屋根フレーム４が一体形成されている。
【００１９】
前記屋根接合部材７の両側板７ａ，７ｂには、前記支柱３の側面３ａ，３ｂに対して屋
根フレーム４を取り付けるための複数の取付穴８が上下にそれぞれ形成されている。さら
に、図２（ｂ）に示したように桁梁５及び妻梁６の下板部５ａ，６ａには、後述のブラケ
ットに桁梁５及び妻梁６を取り付けるための複数の取付穴９がそれぞれ穿設されている。
【００２０】
このように構成された屋根フレーム４の上部に、図１に示す屋根板１０を取り付けるこ
とにより屋根パネル１が構成されている。
【００２１】
前記支柱３は、中空で方形状の筒体からなっていて、側面３ａ，３ｂにはブラケット１
２，１３がそれぞれ固定されている。この支柱３の上部には後述するフレーム支持部１４
が設けられている。
【００２２】
支柱３の側面３ａ，３ｂには、図２中上部側の隅角部Ｆの上下に取付穴１５ａがそれぞ
れ穿設されている。また、側面３ｂ，３ｄの図中左側の隅角部の上下には取付穴１５ｂが
それぞれ穿設され、側面３ａ，３ｃの図中右側の隅角部には取付穴１５ｃがそれぞれ穿設
されている。さらに、側面３ｃ，３ｄの図中下側の隅角部の上下には取付穴１５ｄがそれ
ぞれ穿設されている。
【００２３】
前記ブラケット１２の隅角部Ｆ側の長手方向には１対の取付穴１６ａが穿設され、その
反対側には１対の取付穴１６ｃがそれぞれ穿設されている。また、ブラケット１３の隅角
部Ｆ側の長手方向には１対の取付穴１６ａが穿設され、その反対側には１対の取付穴１５
ｂがそれぞれ穿設されている。
【００２４】
支柱３に穿設された取付穴１５ａ〜１５ｄとブラケット１２，１３に穿設された取付穴
１６ａ，１６ｂ等により、支柱３の上部には前述のフレーム支持部１４が構成されている
。
【００２５】
このフレーム支持部１４の屋根フレーム４側（隅角部Ｆの両側）には、前記取付穴１５
ａ及び取付穴１６ａからなる第１取付部１７ａが構成されている。
【００２６】
また、フレーム支持部１４の取付穴１６ａと反対側（第１取付部１７ａの両側の箇所）
には取付穴１５ｂと取付穴１６ｂ及び取付穴１５ｃと取付穴１６ｃからなる第２取付部１
７ｂ及び第２取付部１７ｃが隣設して設けられている。
【００２７】
なお、支柱３の側面３ｃ，３ｄにもブラケットをそれぞれ設ければ支柱３の図中下側の
隅角部にも同様の第２取付部を構成することができる。また、支柱３のフレーム支持部１
４は、支柱３の基部が接地している支柱３の上部に設けられている場合の他に、支柱３が
接地していなくて隣設する屋根パネルを接合する場合も含まれている。
【００２８】
また、図２（ａ）では図１におけるＥ部について説明したが、他の支柱３及び出隅部２
においても同様に構成されている。このように、支柱３の側面３ａ〜３ｄに第１取付部１
７ａ及び第２取付部１７ｂ，１７ｃを設けたことにより、既存の屋根パネル１に隣設して
他の新規の屋根パネルを増設することができる。
【００２９】
図３は、屋根パネル１及びこれに増設される他の屋根パネルの屋根フレームの配置例を
示している。
【００３０】
図３（ａ）は、屋根パネル１を単独設置した場合の桁梁５，妻梁６を示している。図３
（ｂ）は、妻方向は同一サイズの妻梁６で構成されていて、幅方向が異なるサイズａ，ｂ
，ｃの桁梁５，５ａ，５ｂからなる屋根フレーム４，４ａ，４ｂを幅方向（桁方向）に連
続設置して増設した場合を示している。
【００３１】
図３（ｃ）は、桁方向は同一サイズの桁梁５で構成されていて、妻方向が異なるサイズ
Ａ，Ｂ，Ｃの妻梁６，６ａ，６ｂの屋根フレーム４，４ｂ，４ｃを奥行き方向（妻方向）
に連続設置して増設した場合を示している。
【００３２】
図３（ｄ）は、妻方向に屋根フレーム４，４ａ，４ｂを連続設置すると共に、屋根フレ
ーム４ａの幅方向に屋根フレーム４ｃを、屋根フレーム４ｂの幅方向に屋根フレーム４ｄ
をそれぞれ連続設置して増設した場合を示している。
【００３３】
このように、既存の屋根フレーム４に対して、幅方向又は妻方向、あるいは幅方向と妻
方向との両方向に、使用者の所望に応じて異なるサイズの屋根パネル１を任意に増設する
ことができる。
【００３４】
図４は、屋根パネル１の幅方向の桁梁５が異なるサイズａ〜ｅであって、奥行き方向の
妻梁６がＡ〜Ｄの異なるサイズからなる屋根フレーム４を形成した例を示す表を示してい
る。この異なるサイズの屋根フレーム４を有するパネル化した屋根パネル１を組み合わせ
ることにより、少ない部品で多くのサイズの屋根を増設することができる。
【００３５】
また、屋根パネル１の端部、継ぎ部を同様の構成にすることで、屋根パネル１の増設性
及び連続性を向上させることができる。
【００３６】
図５は、建物２０の外壁２１側に玄関２２と玄関ポーチ１ａがある場合を示している。
この屋根パネル１ａ，１ｂからなる玄関ポーチ２３の幅方向及び奥行き方向に屋根パネル
１ｃ〜１ｈからなるカーポート２４をそれぞれ増設した場合を示している。
【００３７】
図６は、図５における玄関ポーチ２３及びカーポート２４の桁梁，妻梁の配置を示して
いる。玄関ポーチ２３は、同一サイズの桁梁５と異なるサイズの妻梁６，６ａからなって
いる。
【００３８】
また、玄関ポーチ２３の右側に配置されたカーポート２４は、その左側が同一サイズの
桁梁５ａと異なるサイズの妻梁６，６ａ，６ｂとからなる屋根フレームが配置され、この
右側には同一サイズの桁梁５ｂと異なるサイズの妻梁６，６ａ，６ｂからなる屋根フレー
ムが配置されている。なお、図中２９は、図５における建物２０の母屋根太位置を示して
いる。
【実施例２】
【００３９】
図７〜図９は本発明の実施例２に係わる建物外壁接合屋根構造を示している。
【００４０】
図８（ａ）において、チャンネル状の桁梁３０の各端部と妻梁３１の各端部とは、互い
に固定されて方形枠状の屋根フレーム３２が構成されている。
【００４１】
図７（ａ）に示すように屋根フレーム３２の各妻梁３１には図７（ｂ）（ｃ）に示すよ
うに上部に突部３３を有する金属性のフレーム部材３４がそれぞれ設けられていて、ボル
ト３５により妻梁３１の上部にそれぞれ固定されている。
【００４２】
また、フレーム部材３４の下方には木材からなるフレーム部材３６がそれぞれ配設され
ている。フレーム部材３６の下面に釘３７により固定されたダボ３８，３９を妻梁３１の
下部に形成された穴４０，４１に固嵌させることによりフレーム部材３６は妻梁３１に固
定されている。
【００４３】
屋根フレーム３２の上部、すなわちフレーム部材３４の突部３３に屋根板４３を固定す
ることにより屋根パネル４４が構成されている。
【００４４】
図７（ａ）において、屋根フレーム３２は支柱４５の上部に後述するようにして固定さ
れている。この支柱４５の上部には、フレーム支持部４６が設けられている。このフレー
ム支持部４６は、図８（ｂ）に示すように第１取付部としてのＬ字状の接合部材４７と第
２取付部としてのＬ字状の接合部材４８〜５０を支柱４５の上部に設けたものからなって
いる。
【００４５】
接合部材４７の一辺には、桁梁３０の端部がボルト及びナットからなる締結部材５２に
より固定されている。また、接合部材４７の他の辺には妻梁３１の端部が締結部材５２に
より固定されている。
【００４６】
図８（ａ）に示すように、右側の支柱４５の接合部材４８に対し、他の屋根フレーム５
３の桁梁５４及び妻梁３１を取り付けることにより、屋根フレーム５３を有する屋根パネ
ル５５を屋根パネル４４に隣設して増設することができる。
【００４７】
また、図６（ｂ）は、屋根フレーム３２の図中上側に妻梁５６及び桁梁３０を有する屋
根フレーム５７を取り付けて屋根パネル４４図中上側に屋根パネル５８を増設すると共に
、屋根フレーム５３の図中上側に桁梁５４及び妻梁５６を有する屋根フレーム５９を配置
して屋根パネル５５に隣設して屋根パネル６０を増設した場合を示している。
【００４８】
図７（ａ）及び図８（ａ）の図中右側の支柱４５にはＬ字状のブラケット６１が固定さ
れており、このブラケット６１の上板６２には、屋根フレーム３２の桁梁３０の下部が  
締結部材５２により固定されている。
【００４９】
また、  図７（ａ）及び図８（ａ）の図中左側の支柱４５部には、コーナー部材６３が
配置されている。このコーナー部材６３は、屋根板６４，側板６５及び天井板６６等を有
していて、締結部材５２により屋根フレーム３２の妻梁３１及び桁梁３０（図９（ａ）参
照）に固定されている。
【００５０】
図９（ａ）は、図７（ａ）の側面図を示している。なお、桁梁３０の上部には屋根板４
３との段差を埋めるための当て部材６７が設けられていて、屋根板４３が釘３７により固
定されている。
【００５１】
図７（ｂ）は支柱４５の変形例を示していて、支柱４５の上面は屋根パネル４４まで延
長している。そして、妻梁３１は締結部材５２により支柱４５に固定されている。
【００５２】
図１０〜図１２は、実施例２における屋根パネルの継ぎ部の変形例を示している。なお
、図７〜図９に示す部材と同様のものは同じ符号を付してその説明は省略する。
【００５３】
図１０（ａ）において、支柱４５にはリブ７０を有するＬ字状のブラケット７１が固定
されており、このブラケット７１の上板７２には屋根フレーム３２の桁梁３０（図１１（
ａ）参照）が載置されて釘３７により固定されている。
【００５４】
図１２（ａ）は屋根パネル４４及び屋根パネル５８（図１１（ｂ）参照）の桁梁３０を
接合すると共に、屋根板４３の妻梁３１及び屋根パネル５８の妻梁５６をブラケット７１
によりそれぞれ支持している状態を示している。
【００５５】
図１２（ｂ）は、支柱４５の上部の延長部分に図１１（ｂ）に示す屋根パネル４４の桁
梁３０及び屋根パネル５８の桁梁３０を締結部材５２によりそれぞれ固定すると共に、屋
根板４３の妻梁３１及び屋根パネル５８の妻梁５６をブラケット７１によりそれぞれ支持
している状態を示している。
【００５６】
以上説明した発明の実施の形態の建物外壁接合屋根構造は、複数の支柱（３）に跨って
支持され且つ建物（２０）の外壁（２１）に隣設して配置された方形枠状の屋根フレーム
（４）と、前記外壁（２１）に接合するように前記屋根フレーム（４）上に取り付けられ
た屋根板（１０）とを備える屋根パネル（１）設けられた建物外壁接合屋根構造である。
この建物外壁接合屋根構造は、前記支柱（３）の上端部に設けられたフレーム支持部（１
４）には前記屋根パネル（１）を取り付ける第１取付部（１７ａ）と増設屋根パネル（１
ｂ，１ｄ）を取り付ける複数の第２取付部（１７ｂ，１７ｃ）が形成されている。
【００５７】
この構成によれば、支柱（３）の上端部に設けられたフレーム支持部（１４）には屋根
パネル（１）を取り付ける第１取付部（１７ａ）が形成され、屋根フレーム（１４）の第
１取付部１７ａと反対側には増設屋根パネル（１ｂ，１ｄ）を取り付ける複数の第２取付
部（１７ｂ，１７ｃ）が形成されているので、サイズの異なる複数種類の屋根パネル（１
ｂ，１ｃ）を組み合わせて増設させることにより、フレキシブルなサイズの屋根のある屋
外空間を構成することができる。また、玄関ポーチ（２３）及びカーポート（２４）等を
上記の屋根と同様の構造、構成とすることにより、玄関ポーチ（２３）に対してカーポー
ト（２４）を一つ以上追加して増設するなどして連続性のある外観デザインとすることが
できる。
【００５８】
また、この発明の実施の形態の建物外壁接合屋根構造は、前記屋根フレーム（１）の妻
梁（６）に前記増設屋根パネル（１ｄ）の一側部が前記第２取付部（１７ｂ）を介して取
り付けられている。
【００５９】
この構成によれば、屋根フレーム（１）の妻梁（６）に前記増設屋根パネル（１ｂ）の
一側部が前記第２取付部（１７ｂ）を介して取り付けられているので、既設の屋根パネル
（１）の側部にサイズの異なる複数の屋根パネル（１ｄ）を増設することができる。
【００６０】
また、この発明の実施の形態の建物外壁接合屋根構造は、前記屋根フレーム（１４）の
桁梁（５）に前記増設屋根パネル（１ｂ）の一側部が前記第２取付部（１７ｃ）を介して
取り付けられている。
【００６１】
この構成によれば、屋根フレーム（１）の桁梁（５）に増設屋根パネル（１ｂ）の一側
部が第２取付部（１７ｃ）を介して取り付けられているので、既設の屋根パネル（１）の
前後部にサイズの異なる複数の屋根パネル（１ｂ）を増設することができる。
【００６２】
また、この発明の実施の形態の建物外壁接合屋根構造は、前記屋根パネル（１）の妻梁
（６）及び桁梁（５）に前記増設屋根パネル（１ｂ，１ｄ）が前記第２取付部（第２取付
部１７ｂ，１７ｃ）を介してそれぞれ取り付けられている。
【００６３】
この構成によれば、前記屋根パネル（１）の妻梁（６）及び桁梁（５）に前記増設屋根
パネル（１ｂ，１ｄ）が前記第２取付部（１７ｂ，１７ｃ）を介してそれぞれ取り付けら
れているので、既設の屋根パネル（１）の側部及び前後部にサイズの異なる複数の屋根パ
ネル（１ｂ，１ｄ）を増設することができる。
【００６４】
以上、図面を参照して本発明の実施の形態を詳述したが、具体的な構成は、この実施の
形態に限らず、本発明の要旨を逸脱しない程度の設計的変更は、本発明に含まれる。
【図面の簡単な説明】
【００６５】
【図１】本発明の建物外壁接合屋根構造に係わる屋根パネル及び支柱が概略斜視図である。
【図２】（ａ）は図１のＥ部の拡大斜視図、（ｂ）は桁梁及び妻梁の縦断面図である。
【図３】（ａ）は単一の屋根フレーム、（ｂ）は幅方向に隣設して増設される複数の屋根フレーム、（ｃ）は奥行き方向に隣設して増設される複数の屋根フレーム、（ｄ）は幅方向及び奥行き方向に隣設して増設される屋根フレームを示す図である。
【図４】屋根フレームの異なるサイズの桁梁と、異なるサイズ妻梁との組み合わせによる屋根フレームのサイズを表にした図である。
【図５】建物の玄関ポーチに複数の増設屋根パネルを隣設して設けてカーポートを増設した図でるある。
【図６】図５における屋根パネルの屋根フレームを示す図である。
【図７】（ａ）は本発明の実施例２に係わる屋根パネルの側面図、（ｂ）及び（ｃ）は屋根板を支持する垂木及び木製の垂木の取付部を示す図である。
【図８】（ａ）は屋根パネルのフレーム支持部を示す平面図、（ｂ）は屋根フレームを増設したフレーム支持部を示す平面図である。
【図９】（ａ）は図５の側面図、（ｂ）は延長した支柱が用いられている図５の側面図である。
【図１０】（ａ）は屋根パネルの継ぎ部の変形例を示す屋根パネルの側面図、（ｂ）及び（ｃ）は屋根板を支持する垂木及び木製の垂木の取付部を示す図である。
【図１１】（ａ）は屋根パネルのフレーム支持部を示す平面図、（ｂ）は屋根フレームを増設したフレーム支持部を示す平面図である。
【図１２】（ａ）は異なるサイズの屋根パネルの継ぎ部を示す側面図、（ｂ）は延長した支柱が用いられている継ぎ部の側面図である。
【符号の説明】
【００６６】
１              屋根パネル
１ｂ，１ｄ      増設屋根パネル
３              支柱
４              屋根フレーム
５              桁梁
６              妻梁
１０            屋根板
１４            フレーム支持部
１７ａ          第１取付部
１７ｂ，１７ｃ  第２取付部
２０            建物
２１            外壁
２３            玄関ポーチ
２４            カーポート
３０            桁梁
３１            妻梁
３２            屋根フレーム
４４            屋根パネル
４５            支柱
４６            フレーム支持部
４７            接合部材
４８            接合部材
４９            接合部材
５０            接合部材
５３            屋根フレーム
５５            屋根パネル
５８            屋根パネル
５９            屋根フレーム
６０            屋根パネル
【図１】
2006002361.tif 000003
【図２】
2006002361.tif 000004
【図３】
2006002361.tif 000005
【図４】
2006002361.tif 000006
【図５】
2006002361.tif 000007
【図６】
2006002361.tif 000008
【図７】
2006002361.tif 000009
【図８】
2006002361.tif 000010
【図９】
2006002361.tif 000011
【図１０】
2006002361.tif 000012
【図１１】
2006002361.tif 000013
【図１２】
2006002361.tif 000014